(57)【特許請求の範囲】
【請求項１】
ＩＤコードを電波信号で送信する発信器たる電波キーと、電波キーからの電波信号を受信する受信部と、該受信部の受信した電波信号を読み取る読取り部と、前記電波信号を受信し制御対象物を制御する制御器とを有し、前記制御器には、前記ＩＤコードを記憶する記憶部と、前記読取り部の読み取ったＩＤコードと記憶部に予め記憶されたＩＤコードとを照合して、両コードが一致したとき制御対象物が作動されるように制御信号を出力する比較部とを少なくも備えた電波式キーシステムであって、
前記電波キーは居住者用電波キーのほかに工事業者用や管理者用の管理用電波キーを有するとともに、前記記憶部と比較部とは、居住者用電波キーからのＩＤコードを記憶し比較する居住者用電波キーの記憶部及び比較部と、前記管理用電波キーからのＩＤコードを記憶し比較する管理用電波キーの記憶部及び比較部とを別個に設け、居住者用電波キーのＩＤコードが記憶部に登録されているときには管理用電波キーの使用が停止され、居住者用電波キーのＩＤコードが記憶部から消去されているときには管理用電波キーの使用が開始されるようにしたことを特徴とする電波式キーシステム。
【請求項２】
電波キーとしては、居住者用電波キーのＩＤコードが記憶部から消去されて工事業者用や管理者用の管理用電波キーの使用モード状態において、前記管理用電波キーのＩＤコードを書き替え可能なモードに入り、管理用電波キーのＩＤコードを読み取り管理用電波キーのＩＤコードが書き替え可能なようにする管理用電波キーのＩＤコードキャンセル電波キーを備えている請求項１の電波式キーシステム。
【請求項３】
工事業者用や管理者用の管理用電波キーは、特定の複数の使用者に対し電波キーのＩＤコードのうち一部を共通するコードとして割り当て、その割り当てたＩＤコードのみの照合で制御対象物が制御されるようにしてある請求項１または２の電波式キーシステム。
【発明の詳細な説明】
【０００１】
【発明の属する技術分野】
本発明は、建物用電気錠等の施錠・解錠やオートドアの開閉等を行なう電波式キーシステムに関する。
【０００２】
【従来の技術】
従来、この種の電波式キーシステムは、ＩＤコードを電波信号で送信する発信器たる電波キーと、前記電波信号を受信するアンテナ等の受信部と、発信器からの電波信号を受信して電気錠等の制御対象物を施解錠またはオートドア等を開閉させるように制御する制御器とを備え、前記制御器には前記受信部の受信した電波信号を読み取るＩＤコード読取り部と、ＩＤコードである電波信号を予め記憶させるＩＤコード記憶部などを少なくとも有している。なお、電波キーにはロックボタンとアンロックボタンを設けているが、１個の押しボタンでもよい。また、制御器はマイクロコンピューターを中心として構成されている。
【０００３】
この電波式キーシステムの電波キーのロックボタンまたはアンロックボタンを押すことにより、電波キーからのＩＤコードである入力信号がアンテナを介して制御器のＩＤコード読取り部に送られ、ＩＤコード記憶部に予め記憶されているＩＤコードとをコード比較部により照合して、両コードが一致したとき一致信号が送出され、この送出された一致信号に基づいて、制御対象物であるオートドアが開閉されたり、電気錠が施解錠されるようになっている。
【０００４】
この場合、一戸建住宅の玄関扉や、アパートやビル等の集合住宅の共用出入口や各部屋の扉などに使用する電波式キーシステムは、通常は、防犯性を考慮して、複数の居住者ごとに異なるＩＤコードを付与した居住者用の電波キーを用いて、それぞれのＩＤコードをＩＤコード記憶部に予め登録しておき、各居住者は個々の居住者用電波キーにより前述の如くオートドアが開閉されたり、電気錠が施解錠されるように運用されている。
【０００５】
一方、建物の新築や改築時等において、建築業者等が一時的に使用する工事業者用キーとして、又は建物の保守管理を行なう管理者用キーとして、電波キーを用いた電波式キーシステムは殆ど見られない。なぜなら、電波キーには電池などの電源、送信回路、ロックスイッチやアンロックスイッチなどの構成部品を組み込む必要があり、高価となるため、前記工事業者用キー及び管理者用キーとしての管理用電波キーは使用されていないのが実情である。
【０００６】
【発明が解決しようとする課題】
また、工事業者用キー又は管理者用キーとしての管理用電波キーを使用する場合には、前述した如く高価となるという難点のほかに、以下に述べるような問題があった。
【０００７】
すなわち、工事業者用キー又は管理者用キーとしての管理用電波キーを採用する場合、管理用の電波キーのＩＤコードを制御器に登録し、工事終了後は不正使用防止のため、その登録した少なくとも工事業者用のＩＤコードを消去し、居住者用電波キーのＩＤコードに登録変更しなければならないという、面倒な作業を必要とした。
【０００８】
更には、アパートなどの集合住宅等の居住者が転居する場合には、転居者が建物の管理者（建物のオーナーを含む）に部屋を明け渡す時点で、管理者は転居者が使用していた居住者用電波キーの使用を不可能とし、内装工事等に備えて工事業者用電波キー及び管理者用電波キーを再度複数本登録して使用する。そして工事終了後は居住者用電波キーのＩＤコードを再登録しなければならず、面倒な作業を必要とした。
特に、転居者が管理者に部屋を明け渡す時点で、管理者が転居者の居住者用電波キーのＩＤコードを消去した後、工事業者用電波キーの登録本数の決定が遅くなり、登録作業に時間がかかっていたし、その登録された工事業者用電波キーの保守管理が面倒であった。
【０００９】
本発明は、上記従来例の電波式キーシステムの有する問題点を解決しようとするものであり、工事業者用キー及び／又は管理者用キーを管理用電波キーとした場合に、建物の内装工事等の工事終了後に登録済みの管理用電波キーのＩＤコードを消去して居住者用電波キーのＩＤコードに登録変更する面倒な作業が不要となるとともに、転居者等がある場合に、建物の管理者は転居者が使用していた居住者用電波キーのＩＤコードを消去するだけで、工事業者用や管理者用の管理用電波キーのＩＤコードをいちいち登録しなくても、引き続き管理用電波キーが即座に使用できる電波式キーシステムを提供することを目的とする。
【００１０】
【課題を解決するための手段】
上記目的を達成するため、本発明の電波式キーシステムは、ＩＤコードを電波信号で送信する発信器たる電波キーと、電波キーからの電波信号を受信する受信部と、該受信部の受信した電波信号を読み取る読取り部と、前記電波信号を受信し制御対象物を制御する制御器とを有し、前記制御器には、前記ＩＤコードを記憶する記憶部と、前記読取り部の読み取ったＩＤコードと記憶部に予め記憶されたＩＤコードとを照合して、両コードが一致したとき制御対象物が作動されるように制御信号を出力する比較部とを少なくも備えた電波式キーシステムであって、
前記電波キーは居住者用電波キーのほかに工事業者用や管理者用の管理用電波キーを有するとともに、前記記憶部と比較部とは、居住者用電波キーからのＩＤコードを記憶し比較する居住者用電波キーの記憶部及び比較部と、前記管理用電波キーからのＩＤコードを記憶し比較する管理用電波キーの記憶部及び比較部とを別個に設け、居住者用電波キーのＩＤコードが記憶部に登録されているときには管理用電波キーの使用が停止され、居住者用電波キーのＩＤコードが記憶部から消去されているときには管理用電波キーの使用が開始されるようにしたことを特徴とする。
【００１１】
ここで、工事業者用や管理者用の管理用電波キーとは、工事業者用と管理者用のいずれか一方または両用の電波キーの意味である。
【００１２】
上記構成において、電波キーとしては、前記の居住者用電波キーと工事業者用及び／又は管理者用電波キーのほかに、工事業者用や管理者用の管理用電波キーのＩＤコードキャンセル電波キーを設けることもできる。この工事業者用や管理者用の管理用電波キーのＩＤコードキャンセル電波キーは、例えば、居住者用電波キーのＩＤコードが記憶部から消去されて工事業者用や管理者用の管理用電波キーの使用モード状態において、工事業者用や管理者用の管理用電波キーのＩＤコードを書き替え可能なモードに入り、工事業者用や管理者用の管理用電波キーのＩＤコードを読み取り該管理用電波キーのＩＤコードが書き替えられるようにしたものである。
【００１３】
また、工事業者用や管理者用の管理用電波キーは、特定の複数の使用者に対し電波キーのＩＤコードのうち一部を共通するコードとして割り当て、その割り当てたＩＤコードのみの照合で制御対象物が制御されるようにしてあるようにすることができる。
【００１４】
【発明の実施の形態１】
本発明の実施の形態１を図１に基づいて以下に説明する。
この図１は本実施形態における電波式キーシステム全体の概略のフローチャートである。
【００１５】
この電波式キーシステムは、図１に示すように、ＩＤコードを電波信号で送信する発信器たる電波キー１と、電波キー１からの電波信号を受信するアンテナ等の受信部１０と、該受信部１０の受信した電波信号を読み取る読取り部１１と、前記電波信号を受信し制御対象物１２（例えば建物の開口部を開閉する扉に取り付けた電気錠１３またはオートドア１４）を施解錠または開閉させるように制御する制御器１５とを有している。また、前記制御器１５には、前記ＩＤコードを記憶する記憶部１６と、前記読取り部１１の読み取ったＩＤコードと記憶部１６に予め記憶されたＩＤコードとを照合して、両コードが一致したとき制御対象物１２が作動されるように制御信号を出力する比較部１７とを少なくも備えている。  なお、読取り部１１は図１では制御器１５に含めているが、別個に設けたものでもよい。
【００１６】
電波キー１には、周知の如く、ケースの内部に送信回路を有し、表面に押圧操作可能なロックスイッチ及びアンロックスイッチを設けてあるとともに、予めＩＤコードが登録されている。
【００１７】
制御器１５は、図示されていないが、周知の如く、ＣＰＵやＲＡＭやＲＯＭなどからなるマイクロコンピューターを備え、常用の交流電源や電池などの電源で駆動される。
なお、制御対象物１２は図１では電気錠１３の場合を示しているが、図２のように、建物等の開口部を開閉するオートドアの場合にも本実施形態は適用できる。
【００１８】
前記電波キー１は居住者用電波キー２のほかに工事業者用や管理者用の管理用電波キー３（以下管理用電波キーという）を有するとともに、前記記憶部１６と比較部１７とは、居住者用電波キー２からのＩＤコードを記憶し比較する居住者用電波キー２の記憶部２０及び比較部２１と、管理用電波キー３からのＩＤコードを記憶し比較する前記管理用電波キーの記憶部３０及び比較部３１とを別個に設け、居住者用電波キー２のＩＤコードが記憶部２０に登録されているときには管理用電波キー３の使用が停止され、居住者用電波キー２のＩＤコードが記憶部２０から消去されているときには管理用電波キー３の使用が開始されるようにしてある。
【００１９】
居住者用電波キー２のＩＤコードが居住者用電波キーの記憶部２０に登録されているときには、管理用電波キー３の使用が停止されているので、制御器１５に接続された操作スイッチ４０等を介して、前記居住者用電波キーの記憶部２０に記憶されているＩＤコードを消去することができる。又は、新しく登録することもできる。
【００２０】
居住者用電波キーの記憶部２０に記憶されているＩＤコードが消去されると、管理用電波キー３の使用が可能となる。また、制御器１５には工事業者及び／又は管理者のみがＩＤコードの書き込みができる専用のデータ書込器４１を接続すると、工事業者や管理者は、必要に応じて登録モード状態において前記データ書込器４１の操作により、管理用電波キーの記憶部３０に記憶されているＩＤコードを消去・書替や登録等の変更を行なうことができるようにしている。
なお、図１で４２は電気錠１３の施解錠やオートドア１４の開閉を制御する制御部である。
【００２１】
本実施形態１における電波式キーシステムの作用を図１に基づいて以下に説明する。
（１）  居住者用電波キーの記憶部２０にＩＤコードが登録されている場合。
使用者が、制御器１５のマイコンのプログラムがスタートして居住者用電波キーの使用モードの状態では（ステップＳ１）、居住者用電波キー２を操作すると、その居住者用電波キーのＩＤコードの信号が受信部１０を介して読取り部１１へ送られる。この時、居住者用電波キー２のデータがあれば（ステップＳ２）、「ＹＥＳ」で、制御器１５の居住者用電波キー２の比較部２１にＩＤコードが出力される。この制御器１５の居住者用電波キーの比較部２１は、読取り部１１の読み取ったＩＤコードと居住者用電波キーの記憶部２０に予め記憶されたＩＤコードとを照合して、両ＩＤコードが一致したときには制御対象物１２が作動されるように制御信号が出力される。つまり、制御対象物１２である電気錠１３が解錠され又はオートドア１４が開放される。
【００２２】
一方、両ＩＤコードが一致しなかったときには、制御対象物１２が制御されるための制御信号が出力されず、上記電気錠１３は解錠されないし又はオートドア１４は開放されない。
【００２３】
ステップＳ２において、居住者用電波キーのＩＤコードがない「ＮＯ」の場合には、管理用の電波キー使用モード（ステップＳ３）へ移行し、管理用の電波キーの読取か否かを判断するステップＳ４へ移行する。このステップＳ４では管理用の電波キーの判断機能しかなく、管理用電波キーのＩＤコードでない（例えば居住者のＩＤコードである）「ＮＯ」の場合、ステップＳ４の前に戻り、制御対象物１２が作動されるための制御信号が出力されず、電気錠１３は解錠されないし又はオートドア１４は開放されない。
【００２４】
（２）  居住者用電波キーの記憶部２０からＩＤコードを消去し、工事業者用や管理者用の管理用電波キーの記憶部３０にそのＩＤコードが登録されている場合。
前述したように、居住者用電波キーの記憶部２０にそのＩＤコードが登録されている状態において、操作スイッチ４０等を介して前記ステップＳ１で登録モードに変更し、前記居住者用電波キーの記憶部２０に記憶されているＩＤコードを消去する。一方、工事業者及び／又は管理者は建物の現場等で必要に応じて、データ書込器４１を操作することにより、管理用電波キーの記憶部３０にその管理用電波キー３のＩＤコードを登録する。これによって、管理用電波キーはデータの変更ができる。
【００２５】
この場合の動作について説明する。
制御器１５のマイコンのプログラムがスタートして使用モードの状態（ステップＳ１）では、工事業者又は管理者が管理用電波キー３を発信すると、ＩＤコードの電波信号が受信部１０を介して読取り部１１へ送られ（ステップＳ２）、居住者用電波キーのデータがない「ＮＯ」の状態であれば、管理用電波キーの使用モード（ステップＳ３）を経て、管理用電波キーの読取りか否かを判断し（ステップＳ４）、「ＹＥＳ」であれば、管理用電波キーの比較部３１にＩＤコードが出力される。この比較部３１は、読取り部１１の読み取ったＩＤコードと管理用電波キーの記憶部３０に予め記憶されたＩＤコードとを照合して、両ＩＤコードが一致したときには制御対象物１２が作動されるように制御信号が出力される。つまり、制御対象物１２である電気錠１３が解錠され又はオートドア１４が開放される。
【００２６】
一方、両ＩＤコードが一致しなかったときには、制御対象物１２が制御されるための制御信号が出力されず、上記電気錠１３は解錠されないし又はオートドア１４は開放されない。
【００２７】
管理用電波キー３の使用を停止したい場合には、制御器１５のマイコンのプログラムがスタートした後、居住者用電波キーの登録モードに設定し（ステップＳ１）、居住者用の電波キー２のデータを登録すればよい。このように、居住者用電波キーの記憶部２０にＩＤコードが記憶させてあれば、居住者用電波キー２のみの使用しかできない。
【００２８】
管理用電波キー３は、基本的には、使用する全ての電波キーの全てのＩＤコードを、管理用電波キーの記憶部３０に異なるＩＤコードとして登録するものとする。例えば、図３に基づいて説明すると、管理用電波キー３をＡからＮまでＮ本製作して各電波キーの符号を３Ａ、３Ｂ…３Ｎとし、各電波キー３のＩＤコードが１０進法で１５桁で表したとすると、各電波キー３Ａ…３ＮのＩＤコードは、通常はすべて異なるようにしてあるため、制御器１５の管理用電波キーの記憶部３０にも各電波キー３Ａ…３ＮのＩＤコードと同一コードを登録しなければならない。各電波キー３Ａ…３Ｎから発信された電波信号（ＩＤコード）は制御器１５に登録されたＩＤコードと１５桁全部の桁が照合されて、ＩＤコードが一致すれば電気錠等の制御対象物１２が制御される。
【００２９】
このように、管理用各電波キー３Ａ…３Ｎとその記憶部３０とに登録するＩＤコードをすべて異なるものとすると、それらのＩＤコードの登録を行なう手間が掛かる難点がある。
【００３０】
そこで、本件発明は、上記の如き難点を解消するとともに、管理用電波キーの本数が増加しても容易に対応できるように、工事業者用や管理者用の管理用電波キー３は、特定の複数の使用者に対し電波キーのＩＤコードのうち一部を共通するコードとして割り当て、その割り当てたＩＤコードのみの照合で制御対象物１２が制御されるようにしてある（請求項３参照）。
すなわち、図３の前５桁「３５２８９」を特定の工事業者専用に固定ＩＤコードとして割り当て、その特定の工事業者の一員が有する電波キー（例えばＡ、Ｂ…Ｎ）によれば、制御器１５に記憶されているＩＤコードと合致し、制御対象物１２が制御できるようにしてある。
【００３１】
【発明の実施の形態２】
本発明の実施の形態２を図４に基づいて以下に説明する。
この場合の電波式キーシステムは、工事業者用や管理者用の管理用電波キー３のＩＤコードをキャンセル用電波キー（以下管理用コードキャンセル電波キーと略称する）で行なう方式であって、電波キー１としては、前記実施形態１の居住者用電波キー２と工事業者用や管理者用の管理用電波キー３とに加え、前記管理用コードキャンセル電波キー４を有するとともに、その管理用コードキャンセル電波キー４のためのプログラムを有する点で、図１のものと異なり、その他の構成は同様としているので、詳細は前記第１実施形態を参照するとよい。
【００３２】
この場合の前記管理用電波キーのＩＤコードキャンセル電波キー４は，居住者用電波キー２のＩＤコードが記憶部２０から消去されて管理用電波キー３の使用モード状態において，管理用電波キーのＩＤコードを書き替え可能なモードに入り，管理用電波キーのＩＤコードを読み取り、該管理用のＩＤコードが書き替え可能なようにするものである。
【００３３】
この場合のＩＤコードの変更について、図４に沿って以下に説明する。
制御器１５のマイコンのプログラムがスタートして工事業者用や管理者用の管理用電波キーの使用モードの状態（ステップＳ１）では、ステップＳ２を経由してステップＳ３へ移行する。ステップＳ３においては、工事業者用や管理者用の管理用電波キー３の使用モード状態になる。そして、特定の工事業者用や管理者用の管理用電波キーのＩＤコードが登録された状態において、管理用コードキャンセル電波キー４を操作すると、管理用コードキャンセル電波キー４のＩＤコードを読み取り（ステップＳ４）、管理用コード書替えモード（ステップＳ５）を経て、管理用電波キー３のＩＤコードの読み取りか否かを判断し（ステップＳ６）、「ＹＥＳ」であれば工事業者用や管理者用の管理用電波キーの記憶部３０に記憶されているＩＤコードを書き替えできるようにしてある。
【００３４】
このように、管理用電波キー３のＩＤコードを管理用コードキャンセル電波キーで処理できるので、前記第１実施形態の如くデータ書込器４１でその都度、ＩＤコードの書替えや消去を行なう必要がなく、書替えや消去などの作業が迅速にできる。また、請求項３に記載したように、工事業者用や管理者用の管理用電波キー３を特定の複数の使用者に対してＩＤコードのうち一部を共通するコードとして割り当てた場合に、その割り当てられた複数の管理用の電波キーの１本でも紛失等したときに、その割り当てたＩＤコードの変更が前記管理用コードキャンセル電波キー４で簡単に処理できる利点がある。
【００３５】
なお、管理用コードキャンセル電波キー４で工事業者用や管理者用の管理用電波キーのＩＤコードを変更する操作は、上記方法に限定されるものでなく、図４においてプログラムのスタートの直後にキャンセルモードか否かの判断ステップを設ける方法でもよい。
また、この実施形態２においても、制御対象物１２としては図２の如くオートドア１４にも適用することができる。
【００３６】
図１及び図４においては、読取り部１１を設けたが、この読取り部１１を省略した構成も実施できる。
【００３７】
【発明の効果】
請求項１の電波式キーシステムによれば、電波キーは居住者用電波キーのほかに工事業者用や管理者用の管理用電波キーを有するとともに、前記記憶部と比較部とは、居住者用電波キーの記憶部及び比較部と、管理用電波キーの記憶部及び比較部とを別個に設け、居住者用電波キーのＩＤコードが記憶部に登録されているときには工事業者用や管理者用の管理用電波キーの使用が停止され、居住者用電波キーのＩＤコードが記憶部から消去されているときには工事業者用や管理者用の管理用電波キーの使用が開始されるようにして、居住者用電波キーと工事業者用や管理者用の管理用電波キーとが選択して使用できるようにしてあるから、住宅の新築の場合やアパートやマンション等の集合住宅等で転居者等が発生した場合に、建物の管理者は転居者が使用していた居住者用電波キーのＩＤコードを消去するだけで、工事業者用や管理者用の管理用電波キーのＩＤコードを、新たに登録する必要がなく、そのまま引き続き工事業者用や管理者用の管理用電波キーが即座に使用できる。
【００３８】
請求項２の電波式キーシステムによれば、工事業者用や管理者用の管理用電波キーのＩＤコードキャンセル電波キーにより工事業者用や管理者用の管理用電波キーのＩＤコードを処理できるので、前記第１実施形態の如くデータ書込器でその都度、ＩＤコードの書替えや消去等を行なう必要がなく、書替えや消去などの作業が迅速にできる。
【００３９】
請求項３の電波式キーシステムによれば、工事業者用や管理者用の管理用電波キーは、特定の複数の使用者に対し電波キーのＩＤコードのうち一部を共通するコードとして割り当て、その割り当てたＩＤコードのみの照合で制御対象物が制御されるようにしてあるから、特定の使用者に対して割り当てたＩＤコードの登録作業が迅速に行なえるとともに、管理者用等の電波キーの本数の増加にも容易に対応できる。
【図面の簡単な説明】
【図１】本発明の実施の形態１における電波式キーシステムの全体の概略のフローチャートである。
【図２】前記実施形態１の電波式キーシステムが適用される制御対象物としてオートドアを示した説明図である。
【図３】工事業者用や管理者用の管理用電波キーのＩＤコードの一例と、特定使用者に固定コードを割り当てた場合の一例を示す説明図である。
【図４】本発明の実施の形態２における電波式キーシステムの全体の概略のフローチャートである。
【符号の説明】
１      電波キー
２      居住者用電波キー
３      工事業者用や管理者用の管理用電波キー（管理用電波キー）
４      管理用電波キーのＩＤコードキャンセル電波キー（管理用コードキャンセル電波キー）
１０    受信部（アンテナ）
１１    読取り部
１２    制御対象物
１３    電気錠
１５    制御器
２０    居住者用電波キーの記憶部
２１    居住者用電波キーの比較部
３０    管理用電波キーの記憶部
３１    管理用電波キーの比較部
４０    操作スイッチ
４１    データ書込器
【図１】
0004689089.tif 000002
【図２】
0004689089.tif 000003
【図３】
0004689089.tif 000004
【図４】
0004689089.tif 000005